(57)【要約】  【課題】操作性が良好な自由雲台を提供する。  【解決手段】自由雲台１は、ベース体３で回動可能に保持したボール部５および被取付物を取り付ける被取付物支持部６を有する支持体７を備える。自由雲台１は、ベース体３に対してボール部５を固定およびその固定を解除するための略円柱状の操作体10を備える。操作体10は、この操作体10の中心軸Ａから下方側にずれた偏心軸Ｂを中心として回動操作可能となっている。  【選択図】図１
2006316802.tif 000002
【特許請求の範囲】
【請求項１】
ベース体と、
このベース体にて回動可能に保持されたボール部、および、このボール部に設けられ被取付物が取り付けられる被取付物支持部を有する支持体と、
前記ベース体に対して前記ボール部を固定およびその固定を解除するための略円柱状の操作体とを備え、
前記操作体は、この操作体の中心軸からずれた偏心軸を中心として回動操作可能となっており、
前記操作体を前記偏心軸を中心として一方向へ回動操作することにより、前記ボール部が前記ベース体に対して固定され、
前記操作体を前記偏心軸を中心として他方向へ回動操作することにより、前記ボール部の前記ベース体への固定が解除される
ことを特徴とする自由雲台。
【請求項２】
操作体は、この操作体の下端がベース体の下端より下方に位置しない範囲内で、回動操作可能となっている
ことを特徴とする請求項１記載の自由雲台。
【請求項３】
操作体は、この操作体の中心軸から下方側にずれた偏心軸を中心として回動操作可能となっている
ことを特徴とする請求項１または２記載の自由雲台。
【請求項４】
操作体の外周面部には、軸方向に沿った複数の溝部が形成されている
ことを特徴とする請求項１ないし３のいずれか一記載の自由雲台。
【発明の詳細な説明】
【技術分野】
【０００１】
本発明は、操作体の操作性が良好な自由雲台に関するものである。
【背景技術】
【０００２】
従来、例えば三脚に脱着可能に装着されるベース体と、このベース体にて回動可能に保持されたボール部およびこのボール部に設けられカメラ等の被取付物が取り付けられる被取付物支持部を有するカメラ台等の支持体と、ベース体に対してボール部を固定およびその固定を解除するためのやや長手状の回動操作可能な操作レバーとを備えた自由雲台が知られている（例えば、特許文献１参照）。
【特許文献１】特開平１０−２８８８１１号公報
【発明の開示】
【発明が解決しようとする課題】
【０００３】
しかしながら、上記従来の自由雲台では、操作レバーの操作性が良好であるとはいえず、例えば特に高齢者にとって操作レバーを指先で回動させるという操作が指に大きな負担になるという問題がある。
【０００４】
本発明は、このような点に鑑みなされたもので、ベース体に対してボール部を固定およびその固定を解除するための操作体の操作がきわめて容易で、操作体の操作性が良好な自由雲台を提供することを目的とする。
【課題を解決するための手段】
【０００５】
請求項１記載の自由雲台は、ベース体と、このベース体にて回動可能に保持されたボール部、および、このボール部に設けられ被取付物が取り付けられる被取付物支持部を有する支持体と、前記ベース体に対して前記ボール部を固定およびその固定を解除するための略円柱状の操作体とを備え、前記操作体は、この操作体の中心軸からずれた偏心軸を中心として回動操作可能となっており、前記操作体を前記偏心軸を中心として一方向へ回動操作することにより、前記ボール部が前記ベース体に対して固定され、前記操作体を前記偏心軸を中心として他方向へ回動操作することにより、前記ボール部の前記ベース体への固定が解除されるものである。
【０００６】
請求項２記載の自由雲台は、請求項１記載の自由雲台において、操作体は、この操作体の下端がベース体の下端より下方に位置しない範囲内で、回動操作可能となっているものである。
【０００７】
請求項３記載の自由雲台は、請求項１または２記載の自由雲台において、操作体は、この操作体の中心軸から下方側にずれた偏心軸を中心として回動操作可能となっているものである。
【０００８】
請求項４記載の自由雲台は、請求項１ないし３のいずれか一記載の自由雲台において、操作体の外周面部には、軸方向に沿った複数の溝部が形成されているものである。
【発明の効果】
【０００９】
請求項１に係る発明によれば、操作体を把持して手首の力でその操作体を回動操作できるため、ベース体に対してボール部を固定およびその固定を解除するための操作体の操作がきわめて容易で、操作体の操作性が良好である。
【００１０】
請求項２に係る発明によれば、操作体はこの操作体の下端がベース体の下端より下方に位置しない範囲内で回動操作可能となっているため、例えば操作体の下端が三脚の上部と干渉するようなことがない。
【００１１】
請求項３に係る発明によれば、操作体はこの操作体の中心軸から下方側にずれた偏心軸を中心として回動操作可能となっているため、操作体を手首の力を利用して簡単に回動操作できる。
【００１２】
請求項４に係る発明によれば、操作体の外周面部には軸方向に沿った複数の溝部が形成されているため、溝部がなく操作体の外周面部が平滑状である場合に比べて、操作体を容易に回動操作できる。
【発明を実施するための最良の形態】
【００１３】
本発明の自由雲台の一実施の形態を図面を参照して説明する。
【００１４】
図１および図２において、１は自由雲台で、この自由雲台１は、三脚２の上部に脱着可能に装着されたベース体３と、ベース体３にて任意方向へ回動可能に保持された球形状のボール部５およびこのボール部５に設けられカメラ等の被取付物（図示せず）が脱着可能に取り付けられる被取付物支持部６を有するカメラ台等の支持体７と、ベース体３に対してボール部５を固定およびその固定を解除するための略円柱状の操作体10とを備えている。
【００１５】
ベース体３は、三脚２の上部の雄ねじに螺合される雌ねじ孔が形成された底板部11を有している。この底板部11には、支持体７のボール部５を回動可能に保持する一対のボール受け部12が設けられている。両ボール受け部12間の距離は操作体10の回動操作により変更するようになっている。
【００１６】
支持体７は、ボール部５と被取付物支持部６とを有し、この被取付物支持部６は、ボール部５に一体的に設けられた支持部材21と、この支持部材21の孔部22に挿通された雄ねじ部23を有しばね（図示せず）にて上方に向けて付勢されたねじ操作部材24とにて構成されている。そして、カメラ等の被取付物を支持体７の被取付物支持部６に取り付ける際には、ねじ操作部材24を操作してこのねじ操作部材24の雄ねじ部23を被取付物の底面部の雌ねじ孔に螺合する。
【００１７】
操作体10は、軸方向が水平方向に一致した略円柱状のもので、ベース体３の側部に回動操作可能に突設され、この操作体10の軸方向（水平方向）に沿った中心軸Ａから下方側へ平行にずれた偏心軸Ｂを中心として回動操作可能となっている。
【００１８】
なお、操作体10は、この操作体10の下端がベース体３の底板部11の下端より下方に位置しない回動範囲内（例えばα＝約６０度）で、回動操作可能となっている。すなわち、操作体10の下端がベース体３より下方に突出することがない。また、略円柱状の操作体10の外径寸法は、支持体７のボール部５の直径寸法と略同じである。操作体10の中心軸Ａは、操作体10の外周から等しい距離にある中心軸線である。
【００１９】
そして、操作体10を水平方向の偏心軸Ｂを中心として一方向へ回動操作（例えば図２中、時計回りに約６０度の回動操作）することにより、ベース体３の両ボール受け部12間の距離が減少してボール部５がベース体３に対して固定される。また、操作体10を水平方向の偏心軸Ｂを中心として他方向へ回動操作（例えば図２中、反時計回りに約６０度の回動操作）することにより、ベース体３の両ボール受け部12間の距離が増大してボール部５のベース体３への固定が解除される。
【００２０】
ここで、図３に示すように、操作体10は、ねじ部31およびローレット部32が形成された軸体33を介してベース体３に取り付けられ、操作体10はこの操作体10の偏心位置に位置する軸体33を中心として回動操作可能となっている。なお、軸体33の軸芯が偏心軸Ｂである。
【００２１】
また、操作体10は、水平状で略円柱状の円柱状部35と、この円柱状部35のベース体３側の軸方向端面とは反対側の端面にねじ36で固着された略円板状の円板状部37とを有している。円柱状部35にはこの円柱状部35の偏心位置に孔部38が形成され、この孔部38内に軸体33が挿入され、軸体33と円板状部37との間にはコイルばね39および座金40が配設されている。軸体33のローレット部32は、円柱状部35の孔部38に臨んだローレット部32に嵌合している。
【００２２】
さらに、操作体10の円柱状部35のベース体３側の端面には、ボール部５のベース体３への固定の解除時にベース体３の係合受け部（図示せず）と係合して操作体10の他方向へ回動を規制する回動規制用の係合部41が突設されている。また、操作体10の円柱状部の外周面部には、操作体の軸方向に沿った複数の溝部42が全周にわたって間隔をおいて形成されている。
【００２３】
次に、上記自由雲台１の作用等について説明する。
【００２４】
三脚２の上部に装着した自由雲台１の支持体７にカメラ等の被取付物を取り付け、その被取付物を被写体に合わせた後に固定する場合には、例えば親指、人差し指および中指の３本の指で操作体10を把持し、手首の力を利用するようにしてその操作体10を偏心軸Ｂを中心として一方向へ回動操作すると、ベース体３の両ボール受け部12間の距離が減少し、支持体７のボール部５がベース体３に対して固定される。
【００２５】
また、例えば固定したカメラ等の被取付物の向きを変更する必要が生じた場合等には、例えば親指、人差し指および中指の３本の指で操作体10を把持し、手首の力を利用するようにしてその操作体10を偏心軸Ｂを中心として他方向へ回動操作すると、ベース体３の両ボール受け部12間の距離が増大し、支持体７のボール部５のベース体３に対する固定が解除される。
【００２６】
このように上記自由雲台１によれば、略円柱状の操作体10を把持して手首の力で、つまりスナップを利かしてその操作体10を回動操作できるため、従来の操作レバーに比べて、操作体10の操作がきわめて容易で、操作体10の操作性が良好であり、高齢者の指に大きな負担となるようなこともない。
【００２７】
また、操作体10はこの操作体10の下端がベース体３の下端より下方に位置しない回動範囲内で回動操作可能となっているため、例えば操作体10の下端が三脚２の上部と干渉するようなことがない。
【００２８】
なお、操作体10の略円柱状には、厳密な意味での円柱形状のほか、円錐台形状等が含まれる。
【００２９】
また、操作体10の回動操作可能な回動角度αは、約６０度には限定されず、約９０度や約１２０度等でもよく、約６０度〜約９０度が好ましい。
【図面の簡単な説明】
【００３０】
【図１】本発明の自由雲台に係る一実施の形態の斜視図である。
【図２】同上自由雲台の正面図である。
【図３】同上自由雲台の要部の分解斜視図である。
【符号の説明】
【００３１】
１    自由雲台
３    ベース体
５    ボール部
６    被取付物支持部
７    支持体
10    操作体
42    溝部
Ａ    中心軸
Ｂ    偏心軸
【図１】
2006316802.tif 000003
【図２】
2006316802.tif 000004
【図３】
2006316802.tif 000005